(57)【要約】【課題】  地上波デジタル放送において、地域（県域）ごとに放送に使用する周波数が異なる可能性が高い状況において、受信機で地域ごとに受信周波数を設定できるような仕組みを実現すること。【解決手段】  送信側において、地域を識別する地域格別子、該地域格別子に対応する、その地域で受信可能な周波数を番組配列情報に多重し、この番組配列情報を送信するデータに多重するトランスポートストリーム多重部１０５を備え、受信側において、送信側より送信されてくるデータから地域識別子、及び周波数が格納された番組配列情報を抽出し、上記抽出した番組配列情報から地域識別子、及び地域識別子が示す地域で受信可能な周波数を抽出し、これを当該地域の地域識別子を使用者が指定したものと一致する地域識別子に従属する周波数を抽出して、その該周波数を記憶する。【選択図】図1
2004336813.tif 000002
【特許請求の範囲】
【請求項１】
所定の地域を識別する地域識別情報と、前記所定の地域で受信可能な周波数の情報とを含むデータを、所定の周波数で送信する、
ことを特徴とする送信機。
【請求項２】
請求項１記載の送信機において、
前記データは、前記所定の周波数に関する情報を含む、
ことを特徴とする送信機。
【請求項３】
請求項１記載または２記載の送信機において、
前記データは、地上デジタルテレビジョン放送のトランスポートストリームの一部である、
ことを特徴とする送信機。
【請求項４】
所定の地域を識別する地域識別情報と、前記所定の地域で受信可能な周波数の情報とを含むデータを、所定の周波数で送信する、
ことを特徴とする送信方法。
【請求項５】
請求項４記載の送信方法において、
前記データは、前記所定の周波数に関する情報を含む、
ことを特徴とする送信方法。
【請求項６】
請求項４または５記載の送信方法において、
前記データは、地上デジタルテレビジョン放送のトランスポートストリームの一部である、
ことを特徴とする送信方法。
【発明の詳細な説明】
【技術分野】
【０００１】
この発明は、デジタル放送送受信方法およびデジタル放送送受信装置における送信機、および送信方法に関し、特に、地方ごと、地域ごとに異なる周波数が使用される地上波デジタル放送においても、受信機側で受信可能な周波数を迅速にかつ自動的に設定できる構成を提供するものに関するものである。
【背景技術】
【０００２】
１９９０年台後半から米国、欧州、日本などで衛星デジタル放送や地上波デジタル放送のサービスが開始されている（例えば特許文献１参照。）。それらのサービスに使用されるデジタル放送受信機の一般的な構成を図１２に示すとともに、その動作について説明する。
【０００３】
デジタル放送の電波をアンテナ１で受信し、後段のチューナ２，復調器３，誤り訂正部４で検波、及び、復調を行い、ＭＰＥＧ２トランスポートストリームを再生する。なお、ＭＰＥＧ２トランスポートストリームの構造に関しては、ＭＰＥＧ２システム規格（ISO/IEC13818-1）に記載されているので、ここでは省略する。
【０００４】
次いで、トランスポートデコーダ５でユーザが選択したチャネル（サービス）の映像パケットと音声パケットを抜き出し、それぞれビデオデコーダ６，オーディオデコーダ７に転送し、ビデオデコーダ６，オーディオデコーダ７でデコードし、それぞれ、第１のデジタルアナログ変換部８と第２のアナログデジタル変換部９とでアナログ信号に変換され、ディスプレイ１０で映像が出力され、スピーカ１１で音声が出力される。
【０００５】
周波数メモリ１２には、受信可能な周波数と物理チャネル番号との対応が予め書かれている。物理チャネル番号とは、周波数１個と１対１対応するチャネル番号であり、衛星デジタル放送の場合にはトランスポンダ（電波中継器）の番号に対応するものである。制御部１３は、この受信機全体の動作を制御する。
【特許文献１】特開平８−２９８６４７号公報
【発明の開示】
【発明が解決しようとする課題】
【０００６】
従来のデジタル放送送受信方法、およびデジタル放送送受信装置は以上のように構成されており、例えば、日本国内をサービスエリアとする衛星デジタル放送を考えると、そのトランスポートストリームを伝送するための周波数は日本全土で同一であるので、受信機を国内専用のものとすれば、受信周波数は一意的に決定する。従って、この場合、受信周波数を受信機のＲＯＭ(Read Only Memory)に格納することが可能である。
【０００７】
さて、日本国内の地上波放送も２０００年台初頭にはデジタル化される計画であり、日本の地上波デジタル放送では、アナログ放送がそうであるように、近畿、中部といった地方ごと、さらには、大阪府、京都府、兵庫県といった地域（県域）ごとに放送に使用する周波数が異なる可能性が高い。したがって受信機において、地方、あるいは地域ごとに異なる受信周波数が設定できるような仕組みが必要であるが、現行の衛星デジタル放送受信機では１つの番組が単一の周波数で提供されているために、そのような仕組みは準備されておらず、地上波放送がデジタル化された場合の構成については何ら提案されていないのが現状である。
【０００８】
本発明はかかる問題を解消するためになされたものであり、地方ごと、地域ごとに異なる周波数が使用される地上波デジタル放送において、受信機側が受信可能な周波数を迅速にかつ自動的に設定することが可能なデジタル放送送受信方法、及びデジタル放送送受信システムを提供することを目的とする。
【課題を解決するための手段】
【０００９】
本発明の請求項１にかかる送信機は、所定の地域を識別する地域識別情報と、前記所定の地域で受信可能な周波数の情報とを含むデータを、所定の周波数で、送信することを特徴とするものである。
【００１０】
また、本発明の請求項２記載の送信機は、請求項１記載の送信機において、前記データは、前記所定の周波数に関する情報を含むことを特徴とするものである。
【００１１】
また、本発明の請求項３記載の送信機は、請求項１または２記載の送信機において、前記データは、地上デジタルテレビジョン放送のトランスポートストリームの一部である、ことを特徴とするものである。
【００１２】
また、本発明の請求項４記載の送信方法は、所定の地域を識別する地域識別情報と、前記所定の地域で受信可能な周波数の情報とを含むデータを、所定の周波数で送信する、ことを特徴とするものである。
【００１３】
また、本発明の請求項５記載の送信方法は、請求項４記載の送信方法において、前記データは、前記所定の周波数に関する情報を含むことを特徴とするものである。
【００１４】
また、本発明の請求項６記載の送信方法は、請求項４または５記載の送信方法において、前記データは、地上デジタルテレビジョン放送のトランスポートストリームの一部であることを特徴とするものである。
【発明の効果】
【００１５】
本発明によれば、送信側において、受信側で選局に必要な情報として、各番組が放送される地域を識別するための地域識別子、及びその地域で受信可能な周波数の情報を送出するようにしたので、地方ごと、地域ごとに異なる周波数が使用される地上波デジタル放送において、受信機側が受信可能な周波数を迅速にかつ自動的に設定することができることとなる効果が得られる。
【発明を実施するための最良の形態】
【００１６】
（実施の形態１）
図１に本発明の実施の形態１によるデジタル放送送受信方法を実現するための送信装置のブロック図を示す。まず、デジタル放送がＭＰＥＧ２システム規格(ISO/IEC13818-1)に準拠して行われるとする。
【００１７】
１０１はＰＳＩ生成部であり、番組配列情報のうち、おもに選局に必要な情報であるＰＳＩ（Program Specific Information）を生成するものである。１０２はＳＩ生成部であり、番組配列情報のうち、受信装置でのＥＰＧ（ElectronicProgram Guide）等のユーザインタフェースに必要なＳＩ（Service Information）を生成するものである。ＰＳＩはＭＰＥＧ２システム規格（ISO/IEC 13818-1）で規定されており、ＳＩは欧州ではＤＶＢ規格(ETS300 468)、日本ではＡＲＩＢ規格(ARIB-STD B10)で規定されている。
【００１８】
また、１０３は映像エンコード部であり、カメラやＶＴＲから取り込んだアナログ映像信号をデジタル信号に変換後、符号化，圧縮して映像パケット（映像ＰＥＳまたは映像ＥＳ）を生成するものである。１０４は音声エンコード部であり、アナログ音声信号をデジタル音声信号に変換後、符号化，圧縮して、音声パケット（音声ＰＥＳまたは音声ＥＳ）を生成するものである。
【００１９】
１０５は第２の多重化手段を実現するトランスポートストリーム多重部であり、ＰＳＩ生成部１０１、ＳＩ生成部１０２、映像エンコード部１０３、音声エンコード部１０４で生成されたデータをトランスポートパケットにパケット化して、トランスポートストリームに多重するものである。１０６は誤り訂正符号付加部であり、トランスポートストリームに誤り訂正符号を付加するものである。１０７は変調部であり、変調方法としては欧州、日本の地上波デジタルの場合はＯＦＤＭが用いられる。１０８は送信アンテナ部であり、伝送路に電波を放射するものである。
【００２０】
ここで本発明の送信側のポイントは、ＰＳＩ生成部１０１の内部構成にある。次にＰＳＩ生成部１０１の内部構成を図２に示す。図２において、２０１はＮＩＴ生成部であり、ＮＩＴ(Network Information Table)を生成する。２０２はＰＡＴ生成部であり、ＰＡＴ（Program Association Table）を生成する。２０３はＰＭＴ生成部であり、ＰＭＴ(Program Map Table)を生成する。２０４はＣＡＴ生成部であり、ＣＡＴ(Conditional Access Table)を生成する。
【００２１】
本発明では、地域を示す識別コード（地域コード）、及び、その地域で受信可能な周波数のリストをＰＳＩに格納して伝送する。ここでは、例えば、図３に示すように、地域コード、及び、受信周波数リストをＮＩＴに多重する。図３において、３０１は地域コード周波数対応情報生成部であり、地域コードとその地域で受信可能な周波数との対応を示す地域周波数情報を生成するものである。
【００２２】
３０２は第１の多重化手段を実現するＮＩＴ多重部であり、地域周波数情報と従来からＮＩＴに含まれるべき情報とを多重してＮＩＴを生成するものである。なお、従来からＮＩＴに格納する情報は、ＤＶＢ規格書（ETS300 468）,ＡＲＩＢ規格書(ARIB-STD B10)に詳細に記載されているので、ここではその説明は省略する。もちろん、地域周波数情報をＳＩ、ＰＳＩの他のテーブルやＳＩ、ＰＳＩ以外のパケットに多重しても構わない。記述子（descriptor）形式の地域周波数情報の一例を、図４に示す。この記述子を仮に、地域周波数記述子（area_frequency_descriptor）と名付ける。なお、記述子の名称はこれに限らず、別の名称であっても構わない。図４において、descriptor_tagは、地域周波数記述子を一意的に示すタグ値（番号）であり、従来から使用されているタグ値や、規格で予約済のタグ値以外のタグ値を割り当てればよい。descriptor_lengthは、このフィールドの直後に続く記述子の全バイト長を示す。area_code_numberは、この記述子に含まれる地域コードの数(1以上)を示す。
【００２３】
また、area_codeは地域コードであり、その例として、電話の市外局番、市外局番の一部、郵便番号、郵便番号の一部、アナログ放送の緊急警報放送（無線設備規則第９条の３第５号、無線局運用規則第１３８条、郵政省告示昭６０第４０５条で規定）で用いられている「地域符号」など汎用的なものを用いればよい。service_idは、area_codeで示される地域で受信可能な編成チャネル番号である。frequencyはarea_codeで示される地域で受信可能な周波数である。なお、この地域周波数記述子は、上記の情報が含まれていれば、図４に示すデータ構造と全く同一でなくてもよい。
【００２４】
次に本実施の形態１におけるデジタル放送送受信方法で用いられる受信側の説明を行う。図５は本実施の形態１におけるデジタル放送送受信方法で用いられる受信装置のブロック図を示す。図５において、４０１は、伝送路とのインタフェース部であるアンテナ部であり、例えば、地上波放送の場合、八木アンテナなどであり、電波を受信する。４０２はチューナ部であり、ここでは検波が行われる。４０３はデジタル復調部であり、例えば、日本で放送が予定されている地上波デジタル放送の場合、ＯＦＤＭ変調されたストリームを復調するものである。４０４は誤り訂正部であり、誤り訂正を行い、トランスポートパケットを出力する。４０５はストリーム分離部であり、ＭＰＥＧ２トランスポートストリームから所定の映像パケット、音声パケット、その他制御情報を抽出するものである。４０６は映像デコード部であり、圧縮された映像データを伸長、及び復号するものである。４０７は音声デコード部であり、圧縮された音声データを伸長、及び復号するものである。４０８は第１のデジタルアナログ変換部であり、復号されたデジタル映像データをアナログの映像信号（コンポジット信号またはコンポーネント信号）に変換するものである。４０９は第２のデジタルアナログ変換部であり、復号されたデジタル音声データをアナログ音声信号に変換するものである。４１０は映像表示部であり、例えば、ＣＲＴや液晶ディスプレイ、ＰＤＰなどである。４１１は音声出力部であり、例えば、スピーカなどである。４１２は地域周波数情報抽出部であり、番組配列情報から地域コードとそれに対応した周波数の値を抽出するものである。４１３は制御部であり、この受信装置全体の動作を制御するものである。４１４は記憶部であり、編成チャネル番号と周波数との対応を記憶するものである。記憶部４１４は、受信装置の電源が切れてもその内容が保存されるように、不揮発性メモリなどで構成するのが望ましい。４１５はユーザインタフェース部であり、例えば、ＳＴＢ(Set Top Box)のフロントパネルやリモコンなどである。
【００２５】
以下に、以上のように構成された実施の形態１によるデジタル放送送受信方法を用いたデジタル放送送受信装置の動作について説明する。図６に本実施の形態における受信方法の処理の流れのうち、受信可能な周波数を記憶するステップまでの流れを示す。
【００２６】
図６において、ステップＳ１では、チューナ部４０２、デジタル復調部４０３で復調され、誤り訂正部４０４で誤り訂正を施されたトランスポートストリームから、ストリーム分離部４０５でＮＩＴを抽出し、制御部４１３で一旦ＮＩＴを蓄積する。
【００２７】
次いで、ユーザ（視聴者）がリモコンなどを用いて地域コード（area_code）を入力する。ここで、地域コードは、上述したように、例えば、電話番号の市外局番や、郵便番号または郵便番号の一部、または緊急警報信号で用いられる「地域符号」などである（ステップＳ２）。
【００２８】
次いで、制御部４１３でＮＩＴに多重された地域周波数記述子から、ユーザが指定した地域コード(area_code)に一致した地域コードの周波数及び編成チャネル番号のリストを抽出する（ステップＳ３）。
【００２９】
次いで、上記ステップＳ３で抽出された周波数及びチャネル番号のリストを記憶部４１４に格納する（ステップＳ４）。ここで、図７に、上記ステップＳ４において記憶部４１４に格納される編成チャネル番号と周波数のリストの一例を示す。
【００３０】
service_id_1,service_id_2,service_id_3,service_id_4は編成チャネル番号であり、f1, f2, f3, f4はそれぞれのservice_idに対応する周波数である。もちろん、この記憶部４１４には、これら以外にも受信可能なすべての編成チャネルとそれに対応した周波数が格納されている。
【００３１】
次に実施の形態１におけるデジタル放送受信装置の、受信可能な周波数を記憶部４１４に設定してから、ユーザが編成チャネルを選択して、その編成チャネルの映像、音声を再生出力するまでの処理の流れを、図８に示し、この図８を参照しつつ以下にその処理の流れを説明する。
【００３２】
まず、ステップＳ１０１において、ユーザインタフェース部４１５から受信する編成チャネル番号 (service_id)を指定する。次いで、制御部４１３が編成チャネル番号（service_id）に対応した周波数を記憶部４１４内で検出する（ステップＳ１０２）。
【００３３】
次いで、上記ステップＳ１０２で検出した周波数値をチューナ部４０２、デジタル復調部４０３に設定して、ユーザが指定した編成チャネル番号に対応した周波数のトランスポートストリーム（ＴＳ）を受信する（ステップＳ１０３）。
【００３４】
次いで、受信したＴＳからストリーム分離部４０５及び制御部４１３でＰＡＴを抽出する（ステップＳ１０４）。次いで、制御部４１３でＰＡＴを解析して、ユーザが指定した編成チャネル番号(service_id)に対応したPMT_PIDを抽出する（ステップＳ１０５）。
【００３５】
ステップＳ１０６では、制御部４１３からストリーム分離部４０５に対して、上記ステップＳ１０５で抽出したPMT_PIDをもったトランスポートパケットすなわちＰＭＴパケットを抽出するように設定して、ストリーム分離部４０５でＰＭＴを抽出する。
【００３６】
次いで、ステップＳ１０７では、制御部４１３でＰＭＴからユーザが指定した映像パケットのＰＩＤ、及び音声パケットのＰＩＤを抽出し、それらのＰＩＤを持ったパケットを抽出するように、制御部４１３からストリーム分離部４０５に対して映像パケットＰＩＤ、音声パケットＰＩＤを設定する。
【００３７】
さらに、ステップＳ１０８では、ストリーム分離部４０５で抽出した映像パケット、音声パケットをそれぞれ、映像デコード部４０６、音声デコード部４０７へ転送し、伸長、及び復号を行ったあと、アナログ信号に変換して映像表示、音声出力を行う。
【００３８】
以上のように本実施の形態によれば、送信側において、地域を識別する地域コード、その地域で受信可能な周波数、及び、編成チャネル番号の情報を、例えば、地域周波数記述子として、ＮＩＴ(Network Information Table)に格納して、他のＰＳＩ、ＳＩ映像パケット、及び音声パケットと多重してトランスポートストリームとして送出し、受信側において、ＮＩＴから、地域周波数記述子を抽出し、地域周波数記述子からユーザが指定した地域コードに対応した周波数、及び編成チャネル番号のリストを抽出し、メモリに格納するようにしたので、周波数が地域毎に異なる地上波デジタル放送において、受信機が受信可能な周波数を、受信機内部において迅速に設定することができる。
【００３９】
（実施の形態２）
次に本発明の実施の形態２にかかるデジタル放送送受信方法、およびデジタル放送送受信装置について説明する。本実施の形態２では、ＮＩＴに多重する地域周波数記述子のデータ構造、及び受信側の記憶部４１４での格納の方法が、上記実施の形態１と異なる点が特徴である。
【００４０】
以下、上記実施の形態１との相違点に重点をおいて説明を行う。本実施の形態２における地域周波数記述子のデータ構造を図９に示す。本実施の形態2の地域周波数記述子では、物理チャネル番号(transport_stream_id)と周波数の対応を記述する。
【００４１】
また、受信側では、記憶部４１４において、図１０に示すように、物理チャネル番号と周波数との対応関係を格納する。本実施の形態の受信装置における、受信可能な周波数を記憶部に設定してから、ユーザが編成チャネルを選択して、その編成チャネルの映像、音声を再生出力するまでの処理の流れを図１１に示す。
【００４２】
本実施の形態２では、図８に示した実施の形態１のおけるステップＳ１０２を以下に説明するステップＳ２０２とステップＳ２０３に置き換えるものである。
【００４３】
以下に上記本実施の形態２の特徴であるステップＳ２０２、ステップＳ２０３について説明する。ステップＳ２０２では、制御部４１３が編成チャネル番号（service_id）がどの物理チャネル（transport_stream_id）に属するかをＮＩＴから割り出す。
【００４４】
次いで、ステップＳ２０３では、制御部４１３が物理チャネルに対応した周波数を記憶部４１４から抽出する。上記以外の構成、動作は実施の形態１と同一である。
【００４５】
以上のように本実施の形態２によれば、送信側において、地域を識別する地域コード、及び、その地域で受信可能な周波数、及び、物理チャネル番号の情報を、地域周波数記述子として、例えば、ＮＩＴ(Network Information Table)に格納して、他のＰＳＩ、ＳＩ映像パケット、及び音声パケットと共に多重化してトランスポートストリームとして送出し、受信側において、ＮＩＴから地域周波数記述子を抽出し、地域周波数記述子からユーザが指定した地域コードに対応した周波数、及び物理チャネル番号のリストを抽出し、これをメモリに格納するようにしたので、周波数が地域毎に異なる地上波デジタル放送において、受信可能な周波数を受信機内部において迅速に設定できる。
【００４６】
また、本発明にかかるデジタル放送送受信方法の一例として、デジタル化された放送信号を送信側から出力し、これを受信側で受信するデジタル放送送受信方法であって、上記デジタル放送の送信側において、各番組が放送される地域を識別するための地域識別子と、該地域で受信可能な、少なくとも１つ以上の周波数との対応を示す情報を、受信側で選局に必要な情報である番組配列情報に多重するステップと、上記地域識別子、及び周波数との対応を示す情報が多重化された番組配列情報を、送信するデータに多重するステップとを含むものが考えられる。
【００４７】
また、上記のデジタル放送送受信方法において、上記地域識別子として、電話番号の市外局番の全部または一部を用いるものも考えられる。
【００４８】
また、上記デジタル放送送受信方法において、上記地域識別子として、郵便番号の全部または一部を用いるものも考えられる。
【００４９】
また、上記デジタル放送送受信方法において、上記地域識別子として、緊急警報放送の地域番号を用いるものも考えられる。
【００５０】
また、デジタル放送送受信方法として、デジタル化された放送信号を送信側から出力し、これを受信側で受信するデジタル放送送受信方法であって、上記デジタル放送の受信側において、送信側より送信されてくるデジタル放送のデータから、各番組が放送される地域を識別するための地域識別子と、該地域で受信可能な、少なくとも１つ以上の周波数との対応を示す情報が格納された番組配列情報を抽出するステップと、上記抽出した番組配列情報から、上記地域識別子と、これに従属する受信可能な周波数を示す情報とを抽出するステップと、使用者が当該地域の地域識別子を指定するステップと、上記番組配列情報から抽出した地域識別子のうち、上記使用者が指定した上記地域識別子と一致する地域識別子を選択し、該地域識別子に従属する受信可能な周波数を示す情報を抽出するステップと、上記抽出した受信可能な周波数を示す情報に基づく周波数を記憶するステップとを含むものも考えられる。
【００５１】
また、本発明にかかるデジタル放送送受信システムは、放送信号をデジタル化して送信する送信機と、デジタル化された放送信号を受信する受信機とを有するデジタル放送送受信システムにおいて、送信機に、各番組が放送される地域を識別する地域識別子と、該地域で受信可能な、少なくとも１つ以上の周波数との対応を示す情報を、受信側で選局に必要な情報である番組配列情報に多重する第１の多重化手段と、送信するデータに、上記地域識別子、及び周波数との対応を示す情報が多重された番組配列情報を多重する第２の多重化手段とを備え、受信機に、上記送信機から出力されたデジタル放送のデータから、上記地域識別子、及び受信可能な周波数を示す情報が格納された番組配列情報を抽出する番組配列情報抽出手段と、上記抽出した番組配列情報から、上記地域識別子と、該地域識別子が示す、地域で受信可能な周波数を示す情報とを抽出する地域周波数抽出手段と、使用者が当該地域の地域識別子を指定するための地域指定手段と、上記番組配列情報から抽出した地域識別子のうち、上記使用者が指定した上記地域識別子と一致する地域識別子を選択し、該地域識別子に従属する受信可能な周波数を示す情報を抽出する受信周波数抽出手段と、上記抽出した受信可能な周波数を示す情報に基づく周波数を記憶する記憶手段とを備えたものも考えられる。
【産業上の利用可能性】
【００５２】
本発明の送信機、および送信方法によれば、送信機にて、所定の地域を識別する地域識別情報と、前記所定の地域で受信可能な周波数の情報とを含むデータを、所定の周波数で、送信することにより、特に、地方ごと、地域ごとに異なる周波数が使用される地上波デジタル放送においても、受信機側で受信可能な周波数を迅速にかつ自動的に設定できる。
【図面の簡単な説明】
【００５３】
【図１】本発明の実施の形態１にかかるデジタル放送送受信装置の送信装置の構成を示す図である。
【図２】上記実施の形態１における送信装置を構成するＰＳＩ生成部の詳細な内部構成を示す図である。
【図３】上記ＰＳＩ生成部を構成するＮＩＴ生成部の内部構成を示す図である。
【図４】上記ＮＩＴ生成部に記述される地域周波数記述子のデータ構造を示す図である。
【図５】本発明の実施の形態１にかかるデジタル放送送受信装置の受信装置の構成を示す図である。
【図６】上記デジタル放送受信装置における周波数記憶までの処理の流れを示す図である。
【図７】本発明の実施の形態１におけるデジタル放送送受信装置の受信装置における記憶部のデータ格納の様子を示す図である。
【図８】上記デジタル放送受信装置におけるチャンネル番号指定から映像表示、及び、音声出力までの処理の流れを示す図である。
【図９】本発明の実施の形態２におけるデジタル放送送信装置のＮＩＴ生成部に記述される地域周波数記述子のデータ構造を示す図である。
【図１０】上記地域周波数記述子のデータ構造を示す図である。
【図１１】上記実施の形態２におけるデジタル放送受信装置のチャンネル番号指定から映像表示、及び、音声出力までの処理の流れを示す図である。
【図１２】従来のデジタル放送受信装置の構成を示す図である。
【符号の説明】
【００５４】
１  アンテナ
２  チューナ
３  復調器
４  誤り訂正部
５  トランスポートデコーダ
６  ビデオデコーダ
７  オーディオデコーダ
８  第１のデジタルアナログ変換部
９  第２のデジタルアナログ変換部
１０  ディスプレイ
１１  スピーカ
１２  周波数メモリ
１３  制御部
１０１  ＰＳＩ生成部
１０２  ＳＩ生成部
１０３  映像エンコード部
１０４  音声エンコード部
１０５  トランスポートストリーム多重部
１０６  誤り訂正符号付加部
１０７  変調部
１０８  送信アンテナ部
２０１  ＮＩＴ生成部
２０２  ＰＡＴ生成部
２０３  ＰＭＴ生成部
２０４  ＣＡＴ生成部
３０１  地域コード周波数対応情報生成部
３０２  ＮＩＴ多重部
４０１  アンテナ部
４０２  チューナ部
４０３  デジタル復調部
４０４  誤り訂正部
４０５  ストリーム分離部
４０６  映像デコード部
４０７  音声デコード部
４０８  第１のデジタルアナログ変換部
４０９  第２のデジタルアナログ変換部
４１０  映像表示部
４１１  音声出力部
４１２  地域周波数情報抽出部
４１３  制御部
４１４  記憶部
４１５  ユーザインタフェース部
【図１】
2004336813.tif 000003
【図２】
2004336813.tif 000004
【図３】
2004336813.tif 000005
【図４】
2004336813.tif 000006
【図５】
2004336813.tif 000007
【図６】
2004336813.tif 000008
【図７】
2004336813.tif 000009
【図８】
2004336813.tif 000010
【図９】
2004336813.tif 000011
【図１０】
2004336813.tif 000012
【図１１】
2004336813.tif 000013
【図１２】
2004336813.tif 000014